(57)【要約】【解決手段】ハロ有機化合物の検出及び測定について記載する。医薬産業、フッ素化医薬の研究や製造；各種フルオロ有機化合物の効果の医学的・臨床的研究；各種フルオロ有機化合物に汚染された水や土壌、空気の環境的或いは農業的研究、スクリーニング、分析に利用できる。
2006508338.tif 000002
【特許請求の範囲】
【請求項１】
少なくとも一の炭素−ハロゲン結合を含む化合物を有する試料を提供することと、
非連続光源を適用し試料に二次光を発光させることと、
前記少なくとも一の炭素−ハロゲン結合を示す少なくとも一の等時間隔的スペクトルを検出することと
を含む方法。
【請求項２】
非連続光源の適用は、試料をパルス化金属蒸気レーザに曝露することを更に含む、請求項１に記載の方法。
【請求項３】
少なくとも一の炭素−ハロゲン結合が、Ｃ−Ｆ結合、ＣＦ２結合、ＣＦ３結合及びＣ−Ｆ修飾バイオプローブの内の少なくとも一を含む、請求項１に記載の方法。
【請求項４】
少なくとも一の等時間隔的スペクトルの検出は、時間遅延装置を用いて二次光を遅らせることを更に含む、請求項１に記載の方法。
【請求項５】
非連続光源の適用は、少なくとも一本のファイバを用いて二次光を検出器に伝送することを更に含む、請求項１に記載の方法。
【請求項６】
非連続光源の適用は、少なくとも一本の光ファイバを用いて二次光を検出器に伝送することを更に含む、請求項５に記載の方法。
【請求項７】
少なくとも一の等時間隔的スペクトルの検出は、前記二次光を、試料から出る蛍光に先立って検出することを更に含む、請求項１に記載の方法。
【請求項８】
非連続光源の適用は、金属蒸気レーザを適用して少なくとも一の炭素−フッ素結合を検出することを更に含む、請求項３に記載の方法。
【請求項９】
少なくとも一の等時間隔的スペクトルの検出は、試料からのラマン光を検出した後に前記二次光を検出することを更に含む、請求項１に記載の方法。
【請求項１０】
非連続光源が、金蒸気レーザ、銅蒸気レーザ、固体レーザ、銅・金蒸気レーザ、鉛蒸気レーザ、バリウム蒸気レーザ及び電球の内の一を含む、請求項１に記載の方法。
【請求項１１】
非連続光源の適用は、検出器を用いて二次光を検出することを含む、請求項１に記載の方法。
【請求項１２】
少なくとも一の炭素−ハロゲン結合が少なくとも一の炭素−フッ素結合を含み、非連続光源を適用することが、前記少なくとも一の炭素−フッ素結合の完全対称振動基準モードを検出することを含む、請求項１に記載の方法。
【請求項１３】
非連続光源が、前記少なくとも一の炭素−ハロゲン結合からのラマン散乱発光を誘発する波長を更に含む、請求項１に記載の方法。
【請求項１４】
波長が、約５１０．６ｎｍ，約５７８．２ｎｍ及び約６２７．８ｎｍの内の一である、請求項１３に記載の方法。
【請求項１５】
非連続光源の適用は、非連続光源を時間ゲート処理することを更に含む、請求項１に記載の方法。
【請求項１６】
試料ホルダと
試料を照射するための非連続光源と、
試料から発せられた二次光を伝送するために非連続光源に接続された少なくとも一本のファイバと
を含む装置。
【請求項１７】
非連続光源がパルス化金属蒸気レーザを含む、請求項１６に記載の装置。
【請求項１８】
試料が少なくとも一の炭素−ハロゲン結合を含む、請求項１６に記載の装置。
【請求項１９】
炭素−ハロゲン結合が、Ｃ−Ｆ結合、ＣＦ２結合、ＣＦ３結合及びＣ−Ｆ修飾バイオプローブの内の少なくとも一を含む、請求項１８に記載の装置。
【請求項２０】
ファイバが、ファイバの束及び光ファイバの内の少なくとも一を含む、請求項１６に記載の装置。
【請求項２１】
試料から発せられた二次光を検出するためにファイバに接続されたプローブを更に含む、請求項１６に記載の装置。
【請求項２２】
時間遅延装置を更に含む、請求項１６に記載の装置。
【請求項２３】
少なくとも一パルス分の時間遅延を一回生じさせるために時間遅延装置に接続された時間ゲート装置を更に含む、請求項１６に記載の装置。
【請求項２４】
非連続光源が、金蒸気レーザ、銅蒸気レーザ、固体レーザ、銅・金レーザ、バリウム蒸気レーザ、鉛蒸気レーザ及び電球の内の一である、請求項１６に記載の装置。
【請求項２５】
非連続光源の波長が約５００〜８００ｎｍである、請求項２６に記載の装置。
【請求項２６】
非連続で周期的なパルス化金属蒸気レーザと、
可視光、赤外光、紫外光用の分光計と、
二次放射の検出器と、
レーザ光放射を試料に伝送するためにレーザに接続された少なくとも一本のファイバと
を含む装置。
【請求項２７】
更に別の検出器を含む、請求項２６に記載の装置。
【請求項２８】
非線形結晶を更に含む、請求項２６に記載の装置。
【請求項２９】
少なくとも一本のファイバが光ファイバである、請求項２６に記載の装置。
【請求項３０】
少なくとも一本のファイバがファイバの束である、請求項２６に記載の装置。
【請求項３１】
少なくとも一本のファイバが多分岐ファイバである、請求項２６に記載の装置。
【請求項３２】
前記少なくとも一本のファイバに接続されたプローブを更に含む、請求項２６に記載の装置。
【請求項３３】
時間遅延装置を更に含む、請求項２６に記載の装置。
【請求項３４】
少なくとも一パルス分の時間遅延を一回生じさせるために時間遅延装置に接続された時間ゲート装置を更に含む、請求項３３に記載の装置。
【請求項３５】
レーザが、金蒸気レーザ、銅蒸気レーザ、固体レーザ、金・銅レーザ、バリウム蒸気レーザ、鉛蒸気レーザ及び電球の内の一を含む、請求項２６に記載の装置。
【請求項３６】
レーザの波長が約５００〜８００ｎｍである、請求項２６に記載の装置。
【発明の詳細な説明】
【発明の詳細な説明】
【０００１】
関連出願の相互参照
本出願は、１９９８年６月２９日に出願された米国仮特許出願第６０/０９１，０９０号、１９９９年６月１０日に出願された米国仮特許出願第６０/１３８，６４３号、１９９９年６月２９日に発行された米国特許第６，３０７，６２５、及び２００１年９月５日に出願された米国特許出願第０９/９４７，３１２号の利益の享受を請求するものである。
【０００２】
背景技術
各種化合物や分子の定量・定性分析は重要である。一分析方法においては、放射性標識等により化学的化合物や生物的化合物を検出する。この場合、放射性物質を用いて化学的化合物や生物学的分子を標識しトレーサを形成する。次に、この放射性の化合物、分子或いはそれらの代謝物を体内で追跡し、そこから出る放射能を観測する。しかしながら、このようなタイプの検出の感度は限られている上、安全策・予防策を要しコストがかかる。
【発明を実施するための最良の形態】
【０００３】
各図を通し、同様の符号は同様の要素を示す。
【０００４】
図１は、金属蒸気レーザを含むラマン機器１００を示す。好適なレーザとしては、銅蒸気レーザや金蒸気レーザが挙げられる。ラマン機器１００は更に、発生したレーザ放射を効率よく反射するために誘電性の高反射性コーティングが施されたミラー１０２と、レーザ放射を収集するためのフォトダイオード１０３とを含む。この機器１００は更に、電子ユニット１０４（例えばストロボ発生器）と、レーザビームの焦点を分析対象の試料１０６上に合わせる集光レンズ１０５とを含む（試料１０６はこの装置の要素ではない）。集光レンズ１０７及び１０８は、試料１０６を通過したビームの焦点を分光計のスリットに合わせるために使用されており、吸収フィルタ１０９は、ラマン光信号（二次放射）を通過させるために使用される。ラマン機器１００は更に、シングル又はダブルのモノクロメータ分光計１１０と、二次放射の検出器１１１（例えば光電子増倍管）と、ストロボシステム１０４により制御されたパルス記録システム１１２とを含み、任意ではあるがデータの収集・処理及び分光計１１０の管理のためのコンピュータ１１３を含むこともできる。分光光度計１１０は、光電子増倍管１１１と高感度の（sensitive）光子計数検出器システム１１２とを備えた、可視及び紫外領域のスペクトル用のシングル、ダブル又はトリプルのモノクロメータとすることができる。高エネルギーレーザ１０１のパルスは、フルオロ有機試料１０６を照射すると共に、パルス記録システム１１２を同期させるためのストローブ・インパルスを発生するデバイス１０４を動作させる。試料は、平行な窓を有する筒状の石英キュベットに入れることができる（図示せず）。ラマンスペクトルの測定は、シングル又はダブルのモノクロメータ１１０を用い、入射パルスから９０°の位置においてシングルチャネル検出によって行う。照射の際に、試料１０６からパルス化ラマン放射が発せられると共に、入射ラマンパルスの一部が散乱される。吸収フィルタ１０９によって散乱放射は除去されるが、パルス化ラマン放射はフィルタを通過して分光計１１０に達する。信号は光電子増倍された後、同期されたパルス記録システム１１２に送られる。紫外放射（２５５．３ｎｍ；２７１．２ｎｍ、２８９．１ｎｍ）を得るために、２逓倍結晶（ＢａＢ２Ｏ４等）や３逓倍結晶を使用できる。
【０００５】
本装置に使用できる好適なレーザ１０１は、レベデフ物理研究所（Lebedev Institute of Physics）（ロシア科学アカデミー（Russian Academy of Sciences）、ロシア、モスクワ）が設計製造したものである。このようなレーザの一例としては、ロシアで設計されたレベデフ物理研究所製の３ワット或いは１０ワットの空冷銅蒸気レーザが挙げられる。本機器１００に使用できるストロボ発生器１０４も、レベデフ物理研究所（ロシア科学アカデミー、ロシア、モスクワ）で設計製造されている。分光光度計１１０は、任意の標準的なモノクロメータ、或いはＪｏｂｉｎ−Ｙｖｏｎ  Ｕ１０００ダブルモノクロメータラマン分光計等の市販品とすることができる。分光光度計は、下の図２〜図８に示すようなフルオロ有機化合物のスペクトルを測定できるように変更できる。光学フィルタはＧＵＩ−６吸収光学フィルタとすることができる。モノクロメータはＭＳＤ−２モノクロメータとすることができる。光電子増倍管１１１はＦＥＵ−１０６光電子増倍管とすることができる。
【０００６】
金属蒸気レーザ１０１が発する励起光は、試料１０６の前に置かれた光学吸収フィルタ１０９により減衰される。フィルタ１０９は、試料へ向かう励起光を制限するのに使用されている。スペクトル範囲が２００〜４００ｎｍの場合、フィルタ１０９はＧＵＩ−６等の紫外フィルタとすることができる。３６０〜４８０ｎｍの場合は、フィルタはＢＧ−１２等の青色波長フィルタとすることができる。ＧＵＩ−６フィルタとＢＧ−１２フィルタはＡＧＦＡから市販されている。このルミネッセンススペクトルはこのフィルタ１０９の透過率を許容するように標準化する。
【０００７】
パルス化金属蒸気レーザ１０１は、連続波のアルゴンレーザやヘリウムネオンレーザよりも顕著な利点を有する。パルス化信号の利用により、光分解の発生が顕著に低減されると共に、一次蛍光を簡単に除去できる。更に、レーザ１０１は、より長波長の励起レーザを使用するラマン分光計に比べ（とりわけＮｄ：ＹＡＧレーザの場合の１０６４ｎｍと比べ）、よりいっそう安価に蛍光が除去される。これは、より長い波長のレーザは、高価なＣＣＤ信号検出器を必要とするためコストが高くなるからである。
【０００８】
金属蒸気レーザ１０１は、市販のＮｄ：ＹＡＧレーザラマン分光計の約１６倍の信号を提供できる。ラマン振動散乱光はレーザパルス幅（１０−８秒）にほぼ等しい短い時間間隔（ゲート）の間に検出されるため、蛍光が除去される。更に、パルス化技法を用いることにより、感度も向上する。
【０００９】
このようにして、パルスレーザ源によって励起された、有機化合物のラマンスペクトルにおける炭素−フッ素結合或いは炭素−フッ素基の対称振動基準モードの強い特性ラマンバンドを確認することができる。Ｃ−Ｆバンドの最適な励起を行うためには、例えば、励起源に対する試料の曝露は１０−８秒以上行わなければならない。ラマンスペクトルはこの曝露時間内に測定される。従って、このラマンスペクトルは蛍光による影響を受けずに済む。
【００１０】
このラマン機器１００を用いた場合、狭い振動数範囲で起こる炭素−フッ素結合基準モード（振動）或いは炭素−フッ素基の基準モード（回転）の光信号は非常に強く、バンド幅は際立って狭い。「基準モード」という用語は、励起された原子が対称振動している状態をいう。炭素−フッ素結合に特徴的な放射は５００〜８００ｃｍ−１の領域において検出できる。フルオロ有機化合物に通常見られる９５０〜１４００ｃｍ−１の領域における他の放射も検出できる。
【００１１】
炭素−フッ素結合の赤外吸収の振動数範囲としては１０００ｃｍ−１〜１４００ｃｍ−１が知られている。上述の範囲とは異なるこのようなバンドは有用であり、この機器によって検出される各種炭素−フッ素基を確認するのに使用できる。しかしながら、これら赤外吸収は、上に述べたようにフルオロ有機化合物内の他の官能基の干渉を受けるものである。
【００１２】
炭素−フッ素結合の種類も同定できる。フッ素と炭素の間の振動（このようなＣ−Ｆ振動は１０００〜１４００ｃｍ−１の赤外において起こる）は測定されない。むしろ、基（芳香族化合物であるヘキサフルオロベンゼン内の炭素−フッ素基やトリフルオロメチル化された化合物（１，３，５−トリス（トリスフルオロメチル）ベンゼン等）内のトリフルオロメチル基等）の完全対称ラマン活性モードの差が検出される。全分子振動基準モードの一部としての炭素−フッ素基の極性の変化も検出される。
【００１３】
レーザ１０１を、約２５５．４ｎｍの紫外（ＵＶ）領域において強い信号を得るための周波数逓倍（frequency
doubling）に適用することができる。２７２ｎｍ及び２８９ｎｍのＵＶ信号も得ることができる。試料に紫外線を照射すると共鳴ラマンスペクトルを測定できるが、この信号は通常のラマン信号よりも約１０４〜１０５倍強い（１０，０００〜１００，０００倍強い）ものである。共鳴ラマン信号を用いると、炭素−フッ素結合を含む化合物は１０億分の１（ｐｐｂ）レベルであっても検出される。この波長における周波数逓倍は、銅蒸気レーザと金蒸気レーザのいずれの場合でも見られる。
【００１４】
図６は、共鳴ラマン分光法用に構成されたラマン分光計２００の概略図である。ラマン分光計２００は図１のラマン機器１００と同様であるが、この分光計２００は非線形周波数逓倍結晶４を含んでいる。周波数逓倍結晶はホウ酸バリウムで形成できる。分光計２００は追加的にフィルタ１４を含むこともできる。
【００１５】
銅蒸気レーザの逓倍周波数は、波長として表した場合、約２５５ｎｍ及び２８９ｎｍである。２７２ｎｍにおける結合バンドも有用たり得る。金蒸気レーザの場合は、逓倍周波数波長は約３１４ｎｍである。下表１に記載の化合物においては、ほぼ全ての化合物が芳香環を有しており、芳香環構造の自己吸収が大きいため共鳴ラマン光信号の増大はほぼ確実である。芳香環は発光周波数とほぼ等しい周波数においてエネルギーを吸収する（自己吸収）。周波数逓倍結晶を用いると、吸収が起こる周波数は５１０．６ｎｍから２５５．３ｎｍにシフトし得る。
【００１６】
分光計２００は、暗電流と周囲ノイズをかなり抑えることができると共に、感度を向上させる。連続蛍光のバックグラウンドはストローブ−インパルスを用いて抑制することができる。ストローブ−インパルスはレーザ源のパルスと同期されており、検出システムを約１０−８秒だけ「開く」。この時間はレーザパルス幅に相当する。よって、分光計２００は低レベルのフルオロ有機化合物を検出できる。
【００１７】
炭素−フッ素結合の特性ラマンバンドは、実験結果によると５４０ｃｍ−１〜７８５ｃｍ−１の範囲に見られる。推定目的の場合には、５００〜８００ｃｍ−１の範囲を用いるのが合理的である。
【００１８】
多くのフルオロ有機化合物が製造販売されている。これら化合物の殆どは、医学或いは獣医学における医薬、麻酔、除草剤、殺虫剤、病害虫防除剤として利用されているか、工業分野における中間体として使用されている。図９に市販品として有用な幾つかの化合物の構造を示す。これら化合物には、トリフルオロメチル基の炭素−フッ素結合、芳香族炭素−フッ素結合、ペルフルオロアルキル基が含まれている。
【００１９】
芳香族炭素−フッ素結合は５４０〜６１０ｃｍ−１の範囲に見られる。例えば、ヘキサフルオロベンゼンは５６９ｃｍ−１、ペンタフルオロピリジンは５８９ｃｍ−１である。
【００２０】
トリフルオロメチル基は７１０〜７８５ｃｍ−１の範囲に見られる。例えば、１−ブロモペルフルオロオクタンは７２６ｃｍ−１、ペルフルオロデカン酸は７３０ｃｍ−１、トリペルフルオロプロピルアミンは７５０ｃｍ−１、１，３，５−トリス−（トリフルオロメチルベンゼン）は７３０ｃｍ−１、フルオキセチン（Ｐｒｏｚａｃ：登録商標）の市販の粉末状薬剤は７７０ｃｍ−１である。表１（キー（Key）ら、「環境科学及びテクノロジー（Environmental Science and Technology）」３１:２４４５〜２４５４，１９９７参照）にトリフルオロメチル基を含む市販のフルオロ有機化合物を記載する。これら化合物の殆どは芳香環を有しているため、共鳴ラマンを観測できる。例えば、Ｐｒｏｚａｃ（登録商標）は図５に示すように７７０ｃｍ−１にシャープで識別可能な信号を示す。
【表１】
2006508338.tif 000003
【００２１】
トリフルオロメチル基が存在しない場合、ジフルオロメチレン基が６９０ｃｍ−１を中心とした範囲に測定される。例えば、日本、ロシアにおいて開発された代替血液の成分であるペルフルオロデカリンが挙げられる。
【００２２】
特定の実施形態においては、ラマン分光は１−ブロモペルフルオロオクタン（Ｃ８Ｆ１７Ｂｒ；ＢＰＦＯ）、多結晶ペルフルオロデカン酸（Ｃ９Ｆ１９ＣＯＯＨ；ＰＦＤＡ）、１，３，５−トリス−（トリフルオロメチル）−ベンゼン（Ｃ６Ｈ３（ＣＦ３）３；ＴＴＦＭＢ）、或いはフルオキセチン（Ｐｒｏｚａｃ：登録商標）に対して行うことができる。最初の化合物（Ｃ８Ｆ１７Ｂｒ）は代替血液中で酸素を運ぶものの一候補である。２番目の化合物（Ｃ８Ｆ１７ＣＯＯＨ）はペルフルオロオクタン酸（ＰＦＯＡ）の類似体であるが揮発性はより低い。ＰＦＯＡは、職場でＰＦＯＡに曝されていた作業者の組織内に見つかっている。３番目の化合物（Ｃ６Ｈ３（ＣＦ３）３）はトリフルオロメチル基内の炭素−フッ素結合を含む。Ｃ６Ｈ３（ＣＦ３）３は、医薬や除草剤、病害虫防除剤として現在市販されている多くの有用な化合物（そのうちの幾つかを表１に示した）の類似体である。フルオキセチン（Ｐｒｏｚａｃ（登録商標）；Ｃ１７Ｈ１８Ｆ３ＮＯ）はトリフルオロメチル基を含む医薬であり広く処方されている。
【００２３】
更に別の実施形態では、共鳴ラマン分光はペルフルオロデカリン（Ｃ８Ｆ１８、ＰＦＤ）や１−ブロモペルフルオロオクタン（Ｃ８Ｆ１７Ｂｒ、ＢＰＦＯ）に対して行うことができる。共鳴ラマンスペクトルを測定するための機器の概要を図６に示す。表１に示す化合物の殆どは共鳴ラマンスペクトルの増大を示すであろう。
【００２４】
液体のＣ８Ｆ１７Ｂｒ（ＢＰＦＯ）のラマンスペクトル（０〜１５００ｃｍ−１、）を図２に示す。このスペクトルには７３０ｃｍ−１に非常に強いピークが存在する。Ｃ８Ｆ１７Ｂｒはオクタン（Ｃ８Ｈ１８）のフルオロ誘導体であり、１８個の水素がフッ素原子１７個と臭素原子１個に置換されている。更に図２の右上にＣ８Ｈ１８のラマンスペクトルを示す。このスペクトルには７３０ｃｍ−１付近にピークがない。Ｃ６Ｈ３（ＣＦ３）３スペクトルの場合と同様、Ｃ８Ｆ１７Ｂｒの７３０ｃｍ−１のピークは炭素−フッ素結合のサインによるものである。このピークは、炭素−フッ素結合を含む分子、特にトリフルオロメチル基やペルフルオロアルキル基を含む分子の完全対称振動基準モードに起因する。
【００２５】
多結晶Ｃ９Ｆ１９ＣＯＯＨ（ＰＦＤＡ）のラマンスペクトルを図３に示す。前に述べた各種フルオロ有機化合物については、Ｃ８Ｆ１７ＣＯＯＨの場合、７２６ｃｍ−１に特性ピークが見られた。このピークはＣ−Ｆ結合を含む分子、特にトリフルオロメチル基やペルフルオロアルキル基を含む分子の完全対称振動基準モードに起因するものである。ノナン（Ｃ９Ｈ２０）のラマンスペクトルを図３の右上に示す。ノナンのスペクトルには、７３０ｃｍ−１付近の特性スペクトル線はない。
【００２６】
Ｃ６Ｈ３（ＣＦ３）３（ＴＴＦＭＢ）及びベンゼン（Ｃ６Ｈ６、右上）のラマンスペクトルを図４に示す。これら２種のラマンスペクトルを比較すると、いずれにおいても、ベンゼン環の完全対称振動モードに起因する高度に分離したピークが９９２ｃｍ−１に見られる。９９２ｃｍ−１を超える波数では、ベンゼンの炭素は１１７８ｃｍ−１と１５８６ｃｍ−１に一重線を示すのに対し、Ｃ６Ｈ３（ＣＦ３）３のラマンスペクトルでは１０８５−１と１２５ｃｍ−１に二重線が、また１３７６ｃｍ−１、１５１３ｃｍ−１及び１６３７ｃｍ−１にスペクトル線が見られる。Ｃ６Ｈ３（ＣＦ３）３と未置換のベンゼンの差は９９２ｃｍ−１より下においてよく分かる。ベンゼンが示すピークは、Ｃ−Ｃ結合の変角モードに起因する弱い２本だけである。これに対し、Ｃ６Ｈ３（ＣＦ３）３は７３０ｃｍ−１に強いピークを示し、そのピーク強度はＣ６Ｈ３（ＣＦ３）３とＣ６Ｈ６に見られる９９２ｃｍ−１に匹敵する。この７３０ｃｍ−１のピークは、この分子に含まれるトリフルオロメチル基の完全対称振動基準モードに由来するものである。
【００２７】
図５のラマンスペクトルは、フルオロキセチン（Ｃ１７Ｈ１８Ｆ３ＮＯ）塩化物（Ｐｒｏｚａｃ：登録商標）カプセルの、固体粉末状の内容物のものである。このカプセルの組成については、フルオロキセチン塩化物が含まれていること以外は知られていない。７７０ｃｍ−１の非常にシャープなピークはトリフルオロメチル基の対称振動に起因するものである。芳香環の対称振動は１００１ｃｍ−１に見られる。
【００２８】
これら４種のフルオロ有機化合物（Ｃ８Ｆ１７Ｂｒ、Ｃ８Ｆ１７ＣＯＯＨ、Ｃ６Ｈ３（ＣＦ３）３及びＣ１７Ｈ１８Ｆ３ＮＯ）の各ラマンスペクトルには、トリフルオロメチル基或いはペルフルオロアルキル基の分子振動に由来する完全対称振動の強い特性ピークが７２０〜７７０ｃｍ−１の範囲の振動数に見られる。これらフルオロ有機化合物とその炭化水素類似体のラマンスペクトルを比較すると、６９０〜７７０ｃｍ−１の範囲に見られた光スペクトルは、これら検討対象の化合物の炭素−フッ素結合に起因するものであることが分かる。
【００２９】
ペルフルオロデカリン（Ｃ８Ｆ１８）及び１−ブロモフルオロオクタン（Ｃ８Ｆ１７Ｂｒ）の共鳴ラマンスペクトルを図７及び図８に示す。これらスペクトルは異なる２つのスケールで示されているが、信号を増強する等の電子的操作は一切行っていない。６９２ｃｍ−１に見られる幅の狭くシャープな光はジフルオロメチレン基（ＣＦ２）の完全対称基準モードであると考えられる。１−ブロモペルフルオロオクタンは約２７５ｎｍ（ε＝５０）に弱い紫外吸収最大を示し、共鳴ラマンスペクトルでは７３０ｃｍ−１に光信号があるが、この信号は通常のラマンスペクトル（図２）の光と同じである。
【００３０】
式ＣｎＨ２ｎ＋２で示される「準線形」或いは「準一次元」フルオロ有機分子鎖、例えばＣｎＦ２ｎ＋１内の炭素も同定できる。これら分子は、代替血液内の酸素や二酸化炭素の輸送を行う医薬組成物に使用されている場合が多い。また、これら分子は、他の医薬或いは医学用途で使用されている。これら分子の例としては、Ｃ１１Ｈ１１Ｆ３Ｎ２Ｏ２（フルタミド）やＣ１０Ｆ１９Ｏ２Ｋ（ペルフルオロデカン酸カリウム）が挙げられる。
【００３１】
異なる置換基を有する、多くの線形又は準線形のフルオロ有機化合物も同定できる。例えば、分子内の水素原子がフッ素原子に置換されて形成されたフルオロ炭素化合物が更に置換されたものが挙げられる。好適な化合物としては、各種麻酔剤や下表２に記載したものが挙げられる。
【００３２】
ＣｎＨ２ｎ+２分子は共振子としてモデル化できる。炭化水素鎖の炭素数（「ｎ」）が比較的大きい場合は、分子の長さはｎに反比例する。フルオロ有機化合物には縦音響モード（ＬＡＭ）と縦光学モード（ＬＯＭ)の振動数シフトが起こる。これらシフトは分子鎖内の炭素数に依存する。
【００３３】
約４８８．０ｎｍのアルゴンレーザ或いは約５１０．５ｎｍの銅蒸気レーザを用いてラマンスペクトルを得た。レーザパワーは約１００ｍＷとした。格子の位置を確認できるコンピュータ化されたＤＦＣ−２４記録分光計（１ｃｍ−１スリット幅）を用いた。試料は透明の液体或いは白色の結晶性粉末であった。液体試料には、窓が平行で蓋を密閉嵌合できる石英キュベットを用いた。ラマン測定は入射から９０°の位置で行った。
【００３４】
図１１は、ＣｎＦ２ｎ＋１Ｂｒの０〜１４００ｃｍ−１の領域におけるラマンスペクトルを示す。全てのラマンスペクトルにおいて７１９〜７３０ｃｍ−１にシャープなピークが見られた。このピークはＣＦ２結合の完全対称基準振動に起因するものである。図１２は、ｎが増加すると最大ピークが線形的に増加することを示す。これから、ピーク強度は分子長に依存することがわかる。
【００３５】
図１２は、０〜５００ｃｍ−１の領域に大きなピークがあり、２００〜３００ｃｍ−１の領域に重複するバンドがあることを示す。ｎ＝６、７、８では、測定した低振動数バンド（ＬＡＭ）には数成分が含まれていた。ｎ＝９、１０、１４では、このバンドはスプリットしなかった。Ｃ１４〜Ｃ９では、測定されたピーク信号は単一であったが、Ｃ８〜Ｃ６ではピークがスプリットし始めた。
【００３６】
図１２及び図１３は、ＣｎＦ２ｎ＋１Ｂｒ化合物のラマンスペクトルの低振動数ＬＡＭ領域８０〜１５０ｃｍ−１及び高振動数ＬＯＭ領域７００〜７５０ｃｍ−１は分子鎖内の炭素数に依存することを示す。ＬＡＭの振動数はｎの増加に従い減少する（図１２）が、ＬＯＭの振動数はｎの増加に従い増加する（図３）。
【００３７】
図１５及び図１６はいずれもフルオロ有機化合物混合物のラマンスペクトルであるが、ＣＦ２結合に特徴的なスペクトル領域と低振動数領域ＬＡＭのラマンスペクトルである。約２％を超える濃度においては、これらのラマンピークはこの種のフルオロ有機化合物のものであると同定できた。
【００３８】
下表２に、ＬＡＭ及びＬＯＭ振動数範囲におけるＣ１２Ｆ２ｎ＋１Ｂｒのラマンスペクトルデータを示す。
【表２】
2006508338.tif 000004
【００３９】
各種フルオロ有機化合物混合物のラマンスペクトルを比較すると、測定されたシフトは分子の長さに依存していることが分かる。振動の音響及び光学モードは分散法則に従い次のように表すことができる。
ωａｃｏｕｓｔｉｃ＝２（Ｓ／ａ）×ｓｉｎ２（ｋａ／２）            （１）
ωｏｐｔｉｃａｌ＝ω０２−４（Ｓ２／ａ２）×ｓｉｎ２（ｋａ／２）      （２）
（式中、ωａｃｏｕｓｔｉｃは音響モードの振動数；
ωｏｐｔｉｃａｌは光学モードの振動数；
ｋは２π／λ（式中λは波長）の値を有するベクトル；
ａは分子鎖の原子間距離；
Ｓは音響伝播速度である。）
【００４０】
分子鎖長が有限であって所定の限界値に入るものの場合には、ベクトルｋと振動数ωａｃｏｕｓｔｉｃ及びωｏｐｔｉｃａｌは別個の様々な値をとることができる。音響振動数と光学振動数のシフトを用いてこの振動数シフトに対するＣＦ分子の長さＣＦをプロットすれば、フルオロ炭素分子混合物中の準線形分子の分子長（「Ｌ」）を推定できる。従って、振動数の最小値は次のように計算できる。
音響モードＬＡＭにおいてｆ＝ωａｃｏｕｓｔｉｃ／２πであるので、
ｆａｃｏｕｓｔｉｃ＝２（Ｓ／２πａ）×ｓｉｎ（ｋａ／２）≒（Ｓ／πａ）×（πａ／２Ｌ）＝（Ｓ／２Ｌ）          （３）
但し、Ｌ＞＞ａ、ｋｍｉｎ＝π／Ｌである。
光学モードＬＯＭにおいてｆ＝ωｏｐｔｉｃａｌ／２πであるので、
ｆｏｐｔｉｃａｌ２＝ｆ０２−４（Ｓ２／４π２ａ２）×ｓｉｎ２（πａ／２Ｌ）≒ｆ０２−Ｓ２／４Ｌ２          （４）
但し、Ｌは分子の長さである。
【００４１】
υ０＝ω０/２πｃ、υ＝ω/２πｃ、ｋｍｉｎ＝π／Ｌ（式中υ及びυ０は波数、ｃは光速）とすると、音響（υａｃｏｕｓｔｉｃ）及び光学（υｏｐｔｉｃａｌ）分岐の分子長（Ｌ）の波数依存性は次のように計算できる。
υａｃｏｕｓｔｉｃ＝（Ｓ／πａｃ）×ｓｉｎ（πａ／２Ｌ）          （５）
υｏｐｔｉｃａｌ２＝υ０２−（Ｓ２／π２ａ２ｃ２）×ｓｉｎ２（πａ／２Ｌ）          （６）
【００４２】
図１４は、ＣｎＦ２ｎ＋１Ｂｒ（ｎ＝６、７、８、９、１０、１４）のラマン振動数実験値を丸で示したものである。この振動数実験値は、図１１〜図１３に示すスペクトルの値を示す。また、図１４の実線は振動数計算値であり、上のスペクトル値と合致している。これらの計算ではＬ＝ｎａ／２（式中、ｎは炭素数（６、７、８、９、１０、１４等）と仮定している。振動数実験値と振動数計算値を比較すると、この好ましい方法を用いれば、種々のｎ値に対する実際のラマン振動数を正確に計算できることが分かる。
【００４３】
各種フルオロ有機化合物の「準一次元」分子において分子長のラマン信号依存性が確認された。分子長が大きくなるに従い、ＣＦ２の高振動数（光学）モードＬＯＭは線形的に増加し、低振動数（音響）モードＬＯＭは減少する。従って、光学振動数モード及び音響振動数モードを変化させることにより、混合物中の分子種の長さを概算できる。
【００４４】
図１７は一実施形態における機器３００を示す。機器３００は、パルス化レーザ等時間隔的（アイソクロニックisochronic）ラマン分光法（「ＰＬＩＲ」）、パルス化等時間隔的表面増強ラマン分光法（「ＰＬＩＳＥＲＳ」）或いはパルス化レーザ等時間隔的蛍光（「ＰＬＩＦ」）用途に使用できる。ＰＬＩＳＥＲＳ、ＰＬＩＦ、ＰＬＩＲの各用途は、紫外（「ＵＶ」）、赤外（「ＩＲ」）或いは可視（「ＶＩＳ」）領域で行うことができる。ＰＬＩＦの場合、試料、生成物或いは生物学的分子を分析するのに機器３００を使用できるが、その際はトレーサ或いは蛍光標識として炭素−フッ素（「Ｃ−Ｆ」）結合等の炭素−ハロゲン結合を用いる。ＰＬＩＲ及び／又はＰＬＩＳＥＲＳの場合は、化学標識或いはラマン（光学）標識としてＣ−Ｆ結合等の炭素−ハロゲン結合を用い、機器３００により試料、生成物或いは生物学的分子を分析する。
【００４５】
機器３００はレーザ源３０１を含むが、レーザ源３０１はパルス化金属蒸気源等のパルス化レーザ源とすることができる。一実施形態においては、レーザ源３００のパルス幅は短くすることができる（ナノ秒等）。レーザ源３０１の平均パワーは約０．２５〜３ワットとすることができ、ピークパワーは約１０〜２５キロワットとすることができる。一実施形態においては、レーザ源３０１は、可視光銅蒸気レーザ或いは赤外領域の金属金蒸気レーザとすることができる。銅蒸気レーザや金蒸気レーザを用いれば、蛍光を排除したラマン測定を行なうことができる。銅蒸気レーザはラマン散乱の断面積を増加させうる。このようなレーザは時間ゲート装置や時間遅延装置と共に使用でき、各レーザは、Ｃ−Ｆ結合等の各種炭素−ハロゲン結合の検出において高い特異性を示すであろう。銅蒸気レーザは、信号／ノイズ比を低減させることができ、フェムトモルレベル及び／又はフェムトグラムレベルの検出感度を提供することができる。また、レーザ源３０１は、管等の動作要素を交換することなく１５００時間等、長時間の運転ができるものである。
【００４６】
ＩＲ用途の場合は、Ｎｄ：ＹＡＧパルス化レーザ等の固体パルスレーザを使用できる。レーザ源３０１は、励起が約５１０．６ナノメータ〜約５７８．２ナノメータの密閉型ＵＶ或いはＶＩＳ銅蒸気レーザとすることができる。別の実施形態においては、炭素−ハロゲン結合を含むオルガノハロゲン化合物、生成物或いは生物学的分子における炭素−ハロゲン結合を検出するのにＵＶ窒素パルス化レーザを使用できる。
【００４７】
一実施形態においては、レーザ波長逓倍後のレーザ源３０１の励起波長は約２５５．３ナノメータ以上とすることができる。繰り返し周波数は約１０ＫＨｚ、パルス幅は約１０〜１００ナノ秒、ビーム径は約１４ｍｍ、ダイバージェンスは約．５ｍｒａｄとすることができる。
【００４８】
更に機器３００は、レーザ源３０１と組み合わせた結晶３０２を含むことができる。この結晶３０２は、ＵＶ領域で励起を提供するものとすることができる。好適な結晶はＢａＢ２Ｏ４結晶であろう。機器３００には、分光計３０３、例えばシングル、ダブル或いはトリプルのモノクロメータを含めることもできる。分光計３０３はＵＶ領域やＶＩＳ領域で使用するのに好適であろう。分光計３０３の代わりに干渉フィルタを使用することもできる。分光計３０３は、約２５〜５０ミクロンのスリット（１２００〜２４００ライン／ｍｍの溝）を有し、ステップモータ等の駆動制御装置等の制御装置３１２を備えたものとすることができる。機器３００は更に、一以上のファイバ３０５と試料ホルダ３０２とを含むことができる。ファイバ３０５は光ファイバとすることができる。ファイバ３０５はファイバの束とすることもできる。ファイバ３０５は分岐する（即ち、一以上の分岐を有する）ことができ、ファイバ３０５の各分岐の端部には、試料から発せられた二次光を感知するためのプローブ３１７を結合させることができる。プローブ３１７とファイバ３０５は石英製とすることができ、これらはＶＩＳ放射或いはＵＶ放射を試料に伝達する。プローブ３１７は光プローブとすることができ、プローブ３１７同士の長さは異なっていても良い。各プローブの遅延時間は異なっていても良く、これについては後に述べる。
【００４９】
一実施形態においては、ＵＶ用途の場合、光源３０１からの光のうち適切な波長の光が結晶３０２を通過する。結晶３０２からのアウトプットは、ビームの焦点を試料に合わせるためのデバイス３１５（誘電性ミラー等）を通過する。ＶＩＳ領域での使用の場合は、光源３０１からの信号は直接試料に当てることができ、結晶３０２は必要ない。レーザ源３０１からの放射に曝露されると試料は二次光を発し、この光は一以上のプローブ３１７によって感知される。ファイバ３０５はこの光を分光計３０３の入口に送る。
【００５０】
次に、分光計３０３に導かれた光は検出器３０４（光電子増倍管等）に送られる。検出器３０４も、約２００〜８００ｎｍの範囲で動作するように構成されたＣＣＤとすることができる。検出器３０４はＵＶでもＶＩＳでも使用できる。検出器３０４に電源３０５を連結し、これにより検出器３０４に電圧を供給することができる。電源３０５はサイラトロン装置等とすることができる。次に、検出器３０４からの信号は増幅器３０９（ストロボ増幅器等）に送られ、増幅器３０９は光を伝達して、データ処理装置３１０によってデータを処理する。
【００５１】
デバイス３１５は更に、レーザ源３０１からのビームの一部をフォトダイオード３０６に向けて放射を収集するためのスプリッタを含むことができる。次に、この放射を時間ゲート装置３０７と時間遅延装置３０８とに通過させ、デバイス３１０を検出器３０４と同期させるためのストロボパルス３０８ａ等のパルスを発生させる。時間遅延装置及び時間ゲート装置は検出感度を増大させると共に、蛍光やレイリー光の殆ど完全な除去を可能とする。
【００５２】
一実施形態においては、時間遅延装置３０８及び時間ゲート装置３０８を用いて、約１〜１０ｎｓの時間ゲートによって約０〜２００ｎｓの範囲の時間遅延を提供することができる。時間遅延装置３０８が提供する時間遅延は０〜１００ｍｓとすることができる。測定するスペクトル範囲は約０〜３０００ｃｍ−１とすることができる。また、約５００〜９００ｃｍ−１において特徴付けられる特定の炭素−ハロゲンのために、機器３０１のタイミング調整を行うことができる。
【００５３】
一実施形態においては、ファイバ３０５及び／又はプローブ３１７は、ラマン、共鳴ラマン、表面増強ラマン、表面増強共鳴ラマンサインを得るために使用でき、またＵＶ領域やＶＩＳ領域における１Ｄ−、２Ｄ−、３Ｄ−ラマン測定を高レベルの感度で行うために使用できる。感度は約１０−１５グラム以下とすることができる。ＰＬＩＳＥＲＳ用の場合は、光ファイバプローブ（図２０）を使用できる。
【００５４】
一実施形態においては、デバイス３１０により、機器３００が、試料から発せられた蛍光の前に試料からのラマン光を測定するようにさせることもできる。別の実施形態においては、ラマン光の後に蛍光を測定することができる。また、デバイス３１０は、比較や同定のため、各種化合物、分子、生物学的生成物、その他の試料の原料等の特性を保存することができる。
【００５５】
２Ｄ−、３Ｄ−測定を行うために、ファイバ３０５は複数の分岐部を含むことができ、各分岐部は、異なる長さの一以上のプローブ３１７を有することができる（例えば、ＵＶ放射或いはＶＩＳ放射を伝送する二分岐、三分岐、多分岐したものを用いることができる）。プローブ３１７及び／又はファイバ３０５は試料ホルダ３０３に異なる位置で結合することができる。この場合の測定は、異なるプローブ長を用い、各プローブ或いは分岐部の遅延時間長を異ならせて行うことができる。ラマン２Ｄ−、３Ｄ−マッピングの空間分解能は、ファイバ及び／又はプローブの径やレーザ幅に依存するであろう。
【００５６】
図１９は機器５００を示す。機器５００は、機器３００と同様ではあるが、更に試料ホルダ５０２とステップモータ５２０とを含むことができる。ステップモータ５２０は試料ホルダ５０２と結合することができ、これにより試料ホルダ５０２を移動させる。機器５００はファイバ３０５と同様のファイバ５０５を更に含むことができる。ファイバ３０５には一以上のプローブ５１２を結合することができる。試料ホルダ５０２が保持する試料の数は任意とすることができ、用途により試料の形状、大きさを変えることができる。一実施形態においては、試料毎に専用のプローブを用いることができる。別の実施形態においては、プローブの数を試料の数より少なくすることができる。
【００５７】
図２０は、ＰＬＩＳＥＲＳに用いるプローブ５１２の一実施形態を示す。プローブ５１２は、レーザ源と連結することができ、研磨されたチップ５１３を有することができる、このチップ５１３は一以上の貴金属アイランド（白丸で示す）５１４で覆うことができる。黒丸５１５は分析対象の試料の分子を示す。プローブは試料に近接して位置決めすることができ、この貴金属含有物に近接した位置において表面増強ラマン分散が発生しうる。試料からの光はプローブ５１２を介してファイバ５０５に送られる。
【００５８】
図１８は機器４００を示す。機器４００は機器３００と同様であるが、試料に向けて配置した或いは試料から逸れる方向に角度をつけた狭帯域フィルタ等のフィルタ４０３を更に含むことができる。フィルタを通過した光はデジタルカメラ等の画像化デバイス４０４を用いて検出される。一実施形態においては、デバイス４０４はデータ伝送デバイス４１５（ＩＲトランスミッタ等）を含むことができる。このデバイスは更に、スペクトルデータを保存するためのメモリ４１４を含むことができる。デバイス４０４は、更に望遠レンズ４２５を含むことができ、フィルタ４０３から或る距離、例えば１〜３ｍに位置決めすることができる。機器４００は更にコントローラ４２６（ステップモータ等）を含むことができる。
【００５９】
各種有機フッ素化合物は、炭素−フッ素（「Ｃ−Ｆ」）結合等の炭素−ハロゲン結合の特性ラマンサインを用いて分析することができる。用途（ＰＬＩＲ、ＰＬＩＦ或いはＰＬＩＳＥＲＳ）に応じて機器３００、４００、５００の内の一以上を使用できる。溶液や混合物の場合、Ｃ−Ｆ結合のサイン放射の強度は有機フッ素化合物の濃度に直接比例するであろう。時間遅延装置と時間ゲート装置とを用いれば、不純物その他の分子群を抑制し或いはこれら分子群をＣ−Ｆ結合の特性サインと差別化して、他の成分を分析することができる。この分析は、有機フッ素化合物全体やその断片の存在を検出するというよりはむしろ、特性ラマン信号によりＣ−Ｆ結合を検出することにより行うことができる。一実施形態においては、このような分析は、マーカーバンドの強度を測定することにより化合物或いは分子の濃度を測定するのに使用できる。この場合、Ｃ−Ｆ結合の相対的なラマン強度は、化合物の濃度に直接的に比例するであろう。
【００６０】
機器３００、４００、５００はＰＬＩＲスペクトルを得るのに用いることもできる。例として、図２１及び図２４に２種の固体フルオロアミノ酸（即ちｍ−フルオロ−ＤＬ−フェニルアラニン及びｍ−フルオロ−ＤＬ−トリプトファン）のＰＬＩＲスペクトルを示す。このようなアミノ酸は、ペプチド或いはタンパク質に組み込まれている場合でも検出できる。他の例としては、５−フルオロウラシル（図２２）や５−フルオロピルビン酸（図２３）等のフッ素化化合物が挙げられる。
【００６１】
図２５は５−フルオロウリジンのＰＬＩＲスペクトルである。これは、ダブルモノクロメータ、パルス化銅蒸気レーザ（励起波長５１０．６ｎｍ、平均パワー１００ｍＷ）で構成した機器４００を用いて記録できる。このスペクトルでは、約７００ｃｍ−１にＣ−Ｆ結合の特性サインがある。
【００６２】
各種フッ素化或いは非フッ素化生物学的分子や各種試料のＰＬＩＦスペクトルも、機器３００、４００、５００の内の一以上を用いて得ることができる。例としては、異なる遅延時間で測定したｍ−フルオロ−Ｄ−チロシンの水溶液（１ｍｇ／Ｌ）のＰＬＩＦスペクトル（図２８）や、同様に異なる遅延時間で測定したその天然の類似体Ｄ−チロシン（ｌｍｇ／Ｌ）水溶液のＰＬＩＦスペクトル（図２７）が挙げられる。その他の例としては、ガラス面上の５−フルオロウリジン（６０ｆｇ）の固体膜（スポットサイズ１００ミクロン）（図３２）；ナフタレン（遅延０）とＣ９Ｆ２１Ｎ（遅延５０ｎｓ）（図２６）；Ｆ修飾トリプトファン（遅延時間０）（図３４）；５−フルオロウリジンのミクロンサイズの固体粒子（図３１）；ｌｍｇ／Ｌの５−フルオロウリジン水溶液（図３０）；様々な遅延時間で測定した異なる濃度のＦ修飾ｍ−フルオロ−Ｄ−チロシン及び通常のＤ−チロシン（図２８及び図３３）；様々な遅延時間で測定したニワトリＤＮＡの１０−６ｇ／ｍＬ溶液（図２９）が挙げられる。
【００６３】
別の実施例においては、天然の大豆と遺伝子組み換えを行った変性大豆のＰＬＩＦスペクトルを遅延時間約０〜５０ｎｓで記録できる（図３７及び図３８）。遺伝子組み換え大豆と天然の大豆のＰＬＩＦスペクトルの差も測定できる。特に、遺伝子組み換え大豆の蛍光強度は組み替えを行っていない大豆よりも高く、最大蛍光信号はシフトし、その結果曲線の形状も変化する。ラマンスペクトルでも変性大豆と未変性大豆のスペクトルの差を示す。
【００６４】
微生物は、現場、土壌、開放大気や環境大気中においてフィルタ等による回収物を用い直接検出できる。更に、水や食品、血清、生物学的流体中の微生物はＰＬＩＲ、ＰＬＩＦスペクトルデータを記録することにより検出することができる。例として、図３５及び３６にバチルス・チューリンゲンシス（Ｂａｃｉｌｌｉｓ  Ｔｈｕｒｉｇｉｅｎｓｕｓ）及びバクテリウス・チューリンゲンシス（Ｂａｃｔｅｒｉｕｓ  Ｔｈｕｒｉｎｇｅｉｎｓｕｓ）のスペクトルをそれぞれ示す。このデータは、デバイス３１０等のデータ処理装置に予め記録されているスペクトルライブラリと比較することができる。ラマンモードにおけるバックグラウンドや蛍光干渉を抑えるために時間ゲート装置や時間遅延装置を用いることができる。混合物中における種々の減衰パターンから微生物を他の微生物と区別したり、ある微生物株を他の株と区別したりするのに、蛍光スペクトル及び共鳴ラマンスペクトルを用いることができる。
【００６５】
一実施形態においては、微生物及び／又はウイルスを、種々の少量のハロゲン化或いはフッ素化アミノ酸、ヌクレオチド或いはフッ素化塩基を含有する成長培地で培養するときにＣ−Ｆ結合等の炭素−ハロゲン結合の検出を行うことができる。成長の間、Ｃ−Ｆ結合は微生物やウイルスのタンパク質及び／又は核酸に標識として取り込まれるであろう。このため、異なる特性パルス化ラマンスペクトル、パルス化蛍光スペクトルが得られ、非標識の微生物或いはウイルスのスペクトルと比較できる。パルス化ラマンモードとパルス化蛍光モードにおけるＣ−Ｆ修飾スペクトルの変化を、これら微生物或いはウイルスの株を区別するのに使用できる。
【００６６】
別の実施形態においては、炭素−ハロゲン標識されたバイオプローブ、例えば一以上の炭素−ハロゲン結合を含むＤＮＡ／ＲＮＡプローブ、ペプチド、タンパク質、モノクローナル−、組換え抗体、アプタマー、ミラー−、フォト−アプタマー（ＢｒｄＵ等）、リボザイム、アンチセンス分子等は、細胞内、微生物／ウイルスの表面或いはこれらの溶解物内の標的分子とハイブリダイズ或いは結合させることができる。或いは、バイオプローブは、各ウイルスや微生物に特徴的な特異的核酸やタンパク質を用いてハイブリダイズ或いは結合させることができる。
【００６７】
Ｃ−Ｆ結合等の一以上の炭素−ハロゲン結合をバイオプローブに取り付ける或いは組み込むことができる。バイオプローブは核酸或いはタンパク質とすることができる。記録されるスペクトルは、Ｃ−Ｆ修飾されたバイオプローブの特性スペクトルとすることができ、これを単一の試料に用いるか或いは多重分析（Multiplex analysis）に用いることができる。結合或いは未結合のＣ−Ｆ修飾バイオプローブのスペクトルは機器３００等の機器を用いて得ることができ、この場合ラマン強度の差と起こりうるラマンシフトを示す。この検出は定量分析に用いることができる。Ｃ−Ｆ結合の特性信号は、関連するラマンＣ−Ｆピークが分析物の濃度と直接比例するため、定量することができる。
【００６８】
図３９はＣ−Ｆ修飾されたバイオプローブのスペクトル例を示す。図４０は未修飾の生物製剤のスペクトルを示す。図４１はハイブリダイズした或いは結合した状態のＣ−Ｆバイオプローブのスペクトル例を示す。
【００６９】
一実施形態においては、侵襲的或いは非侵襲的な用途において、機器３００、４００、５００を用いてラマンスペクトルを得て、疾病組織や正常組織、生検材料、細胞を特定することができる。この機器を手術用具（光ファイバプローブやメス、カテーテル等）と組合せて或いは結合して使用すれば、強いバックグラウンド傾向を排除してパルス化ラマンスペクトルとパルス化蛍光スペクトルを記録することができる。別の実施形態においては、炭素−ハロゲンを含む代謝造影剤（フッ素化グルコース等）を用いて、フッ素化グルコース代謝率(turnover)レベルの低い組織との区別化を行うことができる。その他、炭素−ハロゲン標識色素団（Ｆ−トリプトファン、Ｆ−チロシン、Ｆ−ウリジン、チフルオロロイシン等）は、核酸やタンパク質に組み込めば、病状を確認するのに使用できる。得られたスペクトルは悪性か否かの判断に使用することができる。また、異常な細胞や組織を特定するため、他のＣ−Ｆ標識された生物製剤、医薬、代謝物を用いることができる。
【００７０】
別の実施形態においては、ゲノムデータライブラリやプロテオームデータライブラリを用い、Ｃ−Ｆ標識核酸プローブやＣ−Ｆ標識免疫マーカーにより、検査対象の病気／癌細胞又は組織に特徴的な特定の遺伝子配列及び／又はタンパク質を特定することができる。これら標的は選択でき、また、病気／悪性細胞或いは組織の特定の周知のターゲット分子に結合する炭素−ハロゲンを含む化合物、医薬、或いは生物製剤の合成を選択することができる。標的の遺伝子配列は、炭素−ハロゲン修飾したそのＤＮＡ／ＲＮＡマッチ鎖、ペプチド、核酸、アンチセンス分子、リボザイムとハイブリダイズすることができる。標的タンパク質は、組織や細胞中においてペプチド、タンパク質、抗体、アプチマーと結合させることができ、また、該タンパク質を分離した後、溶液中或いは表面上のペプチド、タンパク質、抗体、アプチマーと結合させることができる。
【００７１】
非標識の組織や細胞及びこれと適合する炭素−ハロゲン修飾バイオプローブ（Ｃ−Ｆ修飾バイオプローブ等）の各ラマンスペクトルは、相互反応させる前に予め記録しておく必要があろう。これにより、非標識組織或いは標的分子と各炭素ハロゲン修飾バイオプローブの特定のスペクトルが得られる。この修飾バイオプローブは、各バイオプローブの濃度とＣ−Ｆピークの相対強度の間の直接的な相関に基づき定量可能である。反応／ハイブリダイゼーションを行った後、結合したＣ−Ｆ標識バイオプローブ或いは未結合のＣ−Ｆ標識バイオプローブのラマンスペクトルを記録することができる。Ｃ−Ｆ修飾バイオプローブが結合している場合は、Ｃ−Ｆ結合のラマン信号は高振動数側にシフトするであろう。
【００７２】
別の実施形態においては、レーザ媒体が銅・金混合金属蒸気、鉛蒸気レーザ或いはバリウム金属蒸気であるレーザ源を用いて病気を診断できる。このようなレーザ源の波長は赤色領域、緑色領域、黄色領域とすることができる。このようなレーザの波長は約５００〜８００ｎｍとすることができる。機器３００、４００、５００は光ファイバ等から製造されるプローブを含むことができ、疾病特性タンパク質（アルツハイマー病のベータアミロイド等）に特異的に結合するハロゲン化色素団を用いてラマン信号を記録できる。放射は骨を透過でき、疾病細胞と正常細胞で異なる色素団の濃度と直接的な比例関係にある造影剤のＣ−Ｆ結合のラマン信号を測定できる。
【００７３】
複数のレポーターダイ或いはシングルダイを用いて遺伝子コピー数やｍＲＮＡ発現レベルを測定するために、遺伝子の多重分析を行うことができる。遺伝子定量検討においては、二重鎖ＤＮＡに結合する蛍光染料、蛍光原プローブ、蛍光プライマーを用いて増幅中にＰＣＲ産物の形成を連続監視する。
【００７４】
一実施形態においては、時間ゲート測定を用い、Ｃ−Ｆ標識によって蛍光モードにおける発光寿命が異なることに基づきＣ−Ｆ標識を区別することができる。励起フィルタと発光フィルタの固定セットを測定に用いることができ、標識の区別を電子的に行うことができる。
【００７５】
核酸、タンパク質或いはペプチドのパルス化ラマンモードにおける時間に基づくＣ−Ｆ標識の多重分析は、Ｃ−Ｆ結合、ＣＦ２結合或いはＣＦ３結合による標識に基づいて行われる。これら結合は芳香族化合物、脂肪族化合物Ｎ含有化合物に含まれているものとすることができる。Ｃ−Ｆ化合物とＣ−Ｆ分子のいずれも、パルス化レーザ源で励起した場合、試料或いは媒体の性質とは独立して、特性ラマンサインは５００ｃｍ−１〜８００ｃｍ−１にある。また、各種Ｃ−Ｆ化合物どうしの区別を化合物の化学構造に基づき行うことができる。脂肪族のＣ−Ｆ化合物の場合、各化合物の分子長に基づき区別できる。
【００７６】
機器３００、４００、５００はクロマトグラフィに用いることができる。例えば、溶離液中のＣ−Ｆ結合を検出するために、機器をクロマトグラフィ機器に結合することができる。
【００７７】
上に述べたように、Ｃ−Ｆ結合等の炭素−ハロゲン結合は、特徴的な領域（５００〜９００ｃｍ−１等）において信号を発するため、ＰＬＩＲ、ＰＬＩＦ、ＰＬＩＳＥＲＳ用途において標識として使用できる。Ｃ−Ｆ結合に関連する信号は、高蛍光表面（ナイロン表面や生物学的物質）においても時間ゲート技法或いは時間遅延技法を用いて検出できる。Ｃ−Ｆ結合の信号は、ウリジン（図２５）、トリプトファン（図２４）、フェニルアラニン（図２１）、ウラシル（図２２）等の生物学的分子に結合した後でも維持されている。
【００７８】
ＰＬＩＦ用途においては、Ｃ−Ｆ結合は、未標識の化合物や生物学的分子とは異なるスペクトルを示す（図３０及び図３２）。ＰＬＩＲ用途或いはＰＬＩＳＥＲＳ用途においては、未標識核酸（ＤＮＡ或いはＲＮＡ）断片は特定のラマン信号を示さない。Ｃ−Ｆ結合をこのような分子に導入することにより分析の特異性が向上する。ＰＬＩＳＥＲＳ用途においては、バイオプローブはチップ、ビーズ或いはナノ粒子の表面に結合できる。このようなプローブは、Ｃ−Ｆ標識されたプローブとのハイブリダイゼーションに用いることができる。金ナノ粒子や銀ナノ粒子を含有するコロイド溶液中にてＣ−Ｆ標識の検出を行うとき、或いは検出をガラス、チップ、ビーズ、ナノ粒子の表面において行う場合は、Ｃ−Ｆ結合の信号は約１０６倍に増加する。表面等の支持体やゲル或いは溶液中にて使用した場合でも一又は数個のＣ−Ｆ結合は信号を示す。Ｃ−Ｆ標識の特性信号は、ＤＮＡ鎖、ＲＮＡ鎖、ペプチド−核酸、その他の生物学的プローブ（ペプチド、タンパク質、モノクローナル−、組換え抗体、アンチセンス分子、リボザイム、アプタマー、（オリゴ−）糖或いは脂質等）と結合した後でも維持されている。Ｃ−Ｆ標識されたプローブは、標的分子とのハイブリダイゼーション或いは結合後に検出することもできる。ハイブリダイゼーション／結合の程度は、結合種と未結合種のＣ−Ｆ信号強度の変化を測定することにより、或いはＣ−Ｆ信号の強度と起こりうるシフトとを測定することにより測定できる。ＰＬＩＦ用途においては、フッ素化蛍光染料と非フッ素化蛍光染料の検出も行うことができる。
【００７９】
医薬や植物の除草剤、植物や動物の病害虫防除剤として用いられるフルオロ有機化合物の分析を行うことができる。代謝物の存在、排泄前の代謝物の存在を測定するための動物の医薬として使用されるフルオロ有機化合物を追跡することができる。用途例としては、医薬の研究開発、医薬臨床検査、医薬製造、医学或いはバイオ医学用途が挙げられる。また、環境を汚染する有機フッ素化合物やその誘導体をナノグラムレベルで検出できる。用途例としては、各種フルオロ有機化合物で汚染された水、土壌、空気の環境分析やフルオロ炭素生成物やその中間体の製造の連続監視等が挙げられる。炭素−フッ素結合を含む誘電体も注目される一領域である。多くのフルオロ炭素冷媒が環境に及ぼす影響のうち最たるものはトリフルオロ酢酸に帰するものであるが、トリフルオロ酢酸は湿地に存在することが環境調査において分かっている。トリフルオロ酢酸や農薬のフッ素化物病害虫防除剤が含まれているか否かについて多数の土壌試料を分析することができる。新規な各種フルオロ有機製剤、除草剤、害虫防除剤の開発のための研究コストも削減できる。
【００８０】
他の炭素−ハロゲン結合の検出に関する用途としては、炭素−塩素、炭素−臭素、炭素−ヨウ素、炭素−アスタチンが挙げられる。
【００８１】
本発明の複数の実施形態を記載したが、本発明の趣旨及び範囲から逸脱することなく各種変形を行うことができると理解される。上に述べた銅蒸気レーザに基づくラマンスペクトログラフの用途は更に広げることができる。従って、添付の特許請求の範囲には他の実施形態も含まれる。
【図面の簡単な説明】
【００８２】
【図１】一実施形態に係るラマン分光計の概略図である。
【図２】図１の分光計を用いて測定したＣ８Ｈ１７Ｂｒ（ブロモペルフルオロオクタン）及びＣ８Ｈ１８のラマンスペクトルである。
【図３】図１の分光計を用いて測定したＣ９Ｆ１９ＣＯＯＨ（Ｃ１０ＨＦ１９０２；ブロモペルフルオロデカン酸）、Ｃ９Ｈ２Ｏ（ノナン、炭素水素の一種）のラマンスペクトルである。
【図４】図１の分光計を用いて測定したＣ６Ｈ３（ＣＦ３）３［１，３，５−トリス（トリスフルオロメチル）ベンゼン］及びＣ６Ｈ６（ベンゼン）のラマンスペクトルである。
【図５】図１の分光計を用いて測定した塩酸フルオキセチン製剤のラマンスペクトルである。
【図６】一実施形態に係る共鳴ラマン分光計の概略図である。
【図７Ａ】照射されたペルフルオロデカリンの、ジフルオロメチレン吸収を示す共鳴ラマンスペクトルであり、ペルフルオロデカリン（Ｃ１０Ｆ１８）の共鳴ラマンスペクトルに処理を加えていないものである。
【図７Ｂ】照射されたペルフルオロデカリンの、ジフルオロメチレン吸収を示す共鳴ラマンスペクトルであり、ペルフルオロデカリンの共鳴ラマンスペクトルに部分的に処理を加えたものである。
【図８】図６の分光計を用いて測定した１−ブロモペルフルオロオクタンの共鳴ラマンスペクトルである。
【図９】市販品として有用な幾つかのフルオロ有機化合物の構造を示す。
【図１０】ラマンスペクトルを示す各種化合物の構造を示す。
【図１１】０〜１５００ｃｍ−１の領域におけるＣｎＦ２ｎ＋１Ｂｒ（ｎ＝６、７、８、９、１０、１４）のラマンスペクトルである。
【図１２】低振動数領域ＬＡＭにおける分子の単位長に対するラマンスペクトルの依存性を示す。
【図１３】高振動数領域ＬＯＭにおける分子の単位長に対するラマンスペクトルの依存性を示す。
【図１４】ラマン振動数の実験値を示す。
【図１５】ＣｎＦ２ｎ＋１Ｂｒで示される２種の成分の混合物の、成分濃度が異なる３種について得られた、ＣＦ２結合のラマン信号を示すラマンスペクトルである。
【図１６】ＣｎＦ２ｎ＋１Ｂｒで示される２種の成分の混合物の、成分濃度が異なる３種について得られた、低振動数領域ＬＡＭバンド内の特性ラマン信号を示すラマンスペクトルである。
【図１７】第１の実施形態における機器の概略図である。
【図１８】第２の実施形態における機器の概略図である。
【図１９】第３の実施形態における機器の概略図である。
【図２０】一実施形態におけるプローブを示す。
【図２１】ｍ−フルオロ−ＤＬ−フェニルアラニンのスペクトルである。
【図２２】５−フルオロウラシルのスペクトルである。
【図２３】Ｂ−フルオロピルビン酸のスペクトルである。
【図２４】ｍ−フルオロ−ＤＬ−トリプトファンのスペクトルである。
【図２５】５−フルオロウリジンのスペクトルである。
【図２６】ナフタレン（遅延時間０）及びＣ９Ｆ２１Ｎ（遅延時間５０ｎｓ）のスペクトルである。
【図２７】種々の遅延時間におけるＤ−チロシンのスペクトルである。
【図２８】種々の遅延時間におけるｍ−フルオロ−Ｄ−チロシンのスペクトルである。
【図２９】ニワトリＤＮＡのスペクトルである。
【図３０】５−フルオロ−ウリジン水溶液のスペクトルである。
【図３１】種々の遅延時間における５−フルオロ−ウリジン固体のスペクトルである。
【図３２】水溶液蒸発後の５−フルオロ−ウリジン膜の遅延時間０におけるスペクトルである。
【図３３】Ｄ−チロシンの種々の遅延時間におけるスペクトルである。
【図３４】Ｆ−修飾トリプトファン（遅延時間０）のスペクトルである。
【図３５】バチルス・チューリンゲンシス（Ｂａｃｉｌｌｉｕｓ  Ｔｈｕｒｉｎｇｉｅｎｓｕｓ）のスペクトルである。
【図３６】バクテリウス・チューリンゲンシス（Ｂａｃｔｅｒｉｕｓ  Ｔｈｕｒｉｎｇｉｅｎｓｕｓ）のスペクトルである。
【図３７】変性大豆の種々の遅延時間におけるスペクトルである。
【図３８】未変性変大豆の種々の遅延時間におけるスペクトルである。
【図３９】ＤＮＡ（ＲＮＡ）ハイブリダイゼーションＦ−修飾バイオプローブのスペクトルである。
【図４０】非標識のＤＮＡ（ＲＮＡ）試料のスペクトルである。
【図４１】Ｃ−Ｆ標識されたバイオプローブにハイブリダイズしたＤＮＡ（ＲＮＡ）を示す。
【図１】
2006508338.tif 000005
【図２】
2006508338.tif 000006
【図３】
2006508338.tif 000007
【図４】
2006508338.tif 000008
【図５】
2006508338.tif 000009
【図６】
2006508338.tif 000010
【図７Ａ】
2006508338.tif 000011
【図７Ｂ】
2006508338.tif 000012
【図８】
2006508338.tif 000013
【図９】
2006508338.tif 000014
【図１０】
2006508338.tif 000015
【図１１】
2006508338.tif 000016
【図１２】
2006508338.tif 000017
【図１３】
2006508338.tif 000018
【図１４】
2006508338.tif 000019
【図１５】
2006508338.tif 000020
【図１６】
2006508338.tif 000021
【図１７】
2006508338.tif 000022
【図１８】
2006508338.tif 000023
【図１９】
2006508338.tif 000024
【図２０】
2006508338.tif 000025
【図２１】
2006508338.tif 000026
【図２２】
2006508338.tif 000027
【図２３】
2006508338.tif 000028
【図２４】
2006508338.tif 000029
【図２５】
2006508338.tif 000030
【図２６】
2006508338.tif 000031
【図２７】
2006508338.tif 000032
【図２８】
2006508338.tif 000033
【図２９】
2006508338.tif 000034
【図３０】
2006508338.tif 000035
【図３１】
2006508338.tif 000036
【図３２】
2006508338.tif 000037
【図３３】
2006508338.tif 000038
【図３４】
2006508338.tif 000039
【図３５】
2006508338.tif 000040
【図３６】
2006508338.tif 000041
【図３７】
2006508338.tif 000042
【図３８】
2006508338.tif 000043
【図３９】
2006508338.tif 000044
【図４０】
2006508338.tif 000045
【図４１】
2006508338.tif 000046
【国際調査報告】
2006508338.tif 000047
2006508338.tif 000048